(57)【要約】【課題】  エレベータかごの天井をリニュアルする方法において、工事の作業工数を従来の方法よりも減少させて作業に要する時間を削減し、天井のリニュアルによるエレベータの使用不可能期間を短縮すること。【解決手段】  既設の照明器具、非常救出口の蓋及びファンを撤去するとともに既設天井板１の全部又は一部は残し、この残した天井板１に新設の照明灯５５、ファン２２、停電灯５３等を取り付けるとともに、新設照明灯５５やファン２２以外の天井板１のかご内側に意匠材６０，７０，８０を取り付け、更に照明灯５５を覆うように照明カバー９０を取り付ける方法によってリニュアルを行うようにした。【選択図】        図１
2005138948.tif 000002
【特許請求の範囲】
【請求項１】
かご天井から照明器具及びファン、非常救出口蓋がある場合には非常救出口蓋も撤去するとともに、天井板の全部又は一部は残し、この残した天井板に新設の照明器具及びファンを取り付けるとともに、前記新設照明器具やファン以外の前記天井板のかご内側に新設意匠材を取り付けることを特徴とするエレベータかごのリニュアル方法。
【請求項２】
前記非常救出口蓋の撤去穴、ファンの撤去穴又は照明器具の撤去穴の何れかを利用して新設ファンによる換気を行う構成であることを特徴とする請求項１に記載のエレベータかごのリニュアル方法。
【請求項３】
かご天井から照明器具及びファン、非常救出口蓋がある場合には非常救出口蓋も撤去され、その全部又は一部が残された天井板と、この残された天井板に設けられた新設の照明器具、ファン及び前記新設照明器具やファン以外の前記天井板のかご内側を覆うように配置された意匠材を備えたことを特徴とするエレベータかご。
【発明の詳細な説明】
【技術分野】
【０００１】
本発明はエレベータかごの天井のリニュアル方法及びリニュアルされたかご天井の構造に関するものである。
【背景技術】
【０００２】
図８〜図１１は従来のかご天井を示す図であり（特許文献１参照）、図８は既設のエレベータかごの概要を示す図、図９は同じく平面図、図１０は図９のＸ―Ｘ線断面図、図１１は図９のＹ―Ｙ線断面図である。
【０００３】
図において、１は天井板、２は天井板１の中央の開口部７に設けた照明ケース、３は照明カバー、４は照明ケース２内に設置された照明灯である。６は基本ユニット部で中間部に開口部７を有するとともに両端部に略Ｌ字状に折り曲げられて立設する第１当接片６Ａ，６Ａを有する。８Ａ，８Ｂ，８Ｃは断面コ字状をなす付加ユニット部で、その長手方向に沿う両側起立部は第２当接片８Ｄを形成している。
【０００４】
すなわち、前記基本ユニット部６を、その開口部７が天井の中央に位置するように配置し、次に第１当接片６Ａに第２当接片８Ｄを当接してボルト・ナットで固着し、基本ユニット部６と付加ユニット部８Ａを一体に結合する。同様にして付加ユニット部８Ａと８Ｂを一体に結合する。また、付加ユニット部８Ｃを、Ｌ字状アングル９を介してユニット部６，８Ａ，８Ｂと一体に結合する。そして照明ケース２と照明カバー３を取り付けてかご天井を完成する。尚図示省略しているが、非常救出口、換気用のファン及び停電灯も設けられており、これらは通常基本ユニット部６に組み込まれている。
【０００５】
エレベータの長年の使用によりかごの天井をリニュアルする必要が生じた場合には、照明ケース２，照明カバー３，照明灯４等の照明器具やユニット部６，８Ａ，８Ｂ，８Ｃ等を全て撤去し、新たに新設の天井を取り付ける方法がとられていた。
また天井板１をユニット部６，８Ａ，８Ｂ，８Ｃに分割せずに一枚板で構成されるかごもあるが、この場合も同様に天井を全て撤去していた。。
【特許文献１】実開昭６０―１７３５７０号公報
【発明の開示】
【発明が解決しようとする課題】
【０００６】
前記従来技術では、天井を全て撤去するため、リニュアルの作業工数が増大し、エレベータの使用不可能期間が長期化するという問題があった。
【課題を解決するための手段】
【０００７】
本発明は、既設の照明器具、非常救出口蓋及びファンを撤去するとともに既設天井板（天井板１、ユニット部６，８Ａ，８Ｂ，８Ｃ）の全部又は一部は残し、この残した既設天井板に新設の照明器具及びファンを取り付けるとともに、前記新設照明器具やファン以外の前記既設天井板のかご内側に新設意匠材を取り付けることを特徴とするエレベータかごのリニュアル方法である。
また本発明は、既設非常救出口蓋の撤去穴又は前記照明器具の撤去穴を利用して新設ファンによる換気を行う構成のエレベータかごのリニュアル方法である。
更に本発明は、既設の照明器具、非常救出口蓋及びファンが撤去され、その全部又は一部が残された既設天井板（天井板１、ユニット部６，８Ａ，８Ｂ，８Ｃ）と、この残された既設天井板に設けられた新設の照明器具、ファン及び前記既設天井板のかご内側を覆うように配置された意匠材を備えたことを特徴とするエレベータかごの構造である。
【発明の効果】
【０００８】
本発明は、必ずしも交換の必要のない天井板の全部又は一部を残し、この残した天井板に照明灯や照明カバーからなる照明器具、ファン及び意匠材を取り付ける構成であるため、天井全部を撤去する場合に比べてリニュアルの工数が減り、作業時間の削減が図れるため，エレベータの使用不可能期間が短縮できるという効果がある。
【発明を実施するための最良の形態】
【０００９】
本発明の実施の形態を図により説明する。図１は天井の平面図及びその中央縦断面に相当する図、図２は天井をかご内から見上げた図及びその中央横断面に相当する図、図３は天井をかご内から見上げた図、図４は天井をかご内から見上げた図及びその中央横断面に相当する図、図５，図６は天井をかご内から見上げた図及びその中央縦断面に相当する図、図７は天井をかご内から見上げた図及びその中央縦断面の要部に相当する図である。図１，５，６，７の中央縦断面に相当する図において左側がかご内である。また図２，４の中央横断面に相当する図において下方がかご内である。また本実施の形態では既設の天井板１は１枚板からなっている。
【００１０】
図１，図２において、まずかごの天井から既設の非常救出口の蓋、照明器具、ファン及び停電灯を撤去し、非常救出口の蓋の撤去穴１０を塞ぐように天井器具２０を取り付ける。この天井器具２０には停電灯制御部２１及びファン２２が設けられ、かご内にはファン２２の吹出口２３が突出している。この吹出口２３の構成金具には後述のファンカバー取り付け用のねじ穴２４が２個空けられている。３０はファン撤去穴１１を塞ぐように取り付けられたプレート、１２は停電灯を撤去した穴、１３は天井板１の補強材である。
次に、天井板１のかご内側に一対の係止具４０，４０をねじ止めする。この係止具４０は外側に段部４１が形成され、内側にはプレート４２が固定されている。
【００１１】
更に図３に示すように、照明部材５１、ファン吹出口２３の貫通する穴５２、停電灯５３を備えた中央部材５０を係止具４０のプレート４２にねじ止めする。したがって中央部材５０の図３の上下縁部は天井板１と若干の隙間を生じる。次に図４に示すように、一対の側部意匠材６０を、外側を係止具４０の段部４１に引っ掛け、内側は中央部材５０にねじ止めする。
【００１２】
更に図５に示すように、前部意匠材７０の前側（図５下方）を天井板１と中央部材５０との間に挟み、中央側は中央部材５０にねじ止めする。同様に後側意匠材８０の後側（図５上方）を天井板１と中央部材５０との間に挟み、中央側は中央部材５０にねじ止めする。また照明部材５１に照明灯５５を取り付ける。そして図６に示すように照明カバー９０を取り付ける。この照明カバー９０は前後縁にフランジ部が形成されており、前フランジ部９１は前部意匠材７０に設けた隙間７１に挟み込み、後フランジ部９２は中央部材５０に設けた固定用プレート５４で支持する。
【００１３】
次に図７に示すように、多数の穴１０１の空いたファンカバー１００を取り付ける。これら穴１０１の両端部の穴に相当する裏面の２箇所にねじ穴を備えたブラケット１０２が固定されており、穴１０１からねじによりブラケット１０２をファンの吹出口２３のねじ穴２４に固定することにより、天井のリニュアル作業は終了する。
【００１４】
上記のように本実施形態によれば、撤去せずに残した天井板１に照明部材５１、照明灯５５、照明カバー９０等からなる照明器具、ファン２２及び意匠材６０，７０，８０等を取り付ける構成であるため、天井全部を撤去する従来例に比べて作業工数が減り、作業時間の削減が図れるため，エレベータの使用不可能期間を短縮することができる。
【００１５】
前記実施の形態では、天井板１が一枚板であるが、図９のように天井板が分割構造の場合には、その全てを残してもいいし、また中央部材５０や意匠材６０，７０，８０などの取り付けに必要なもののみを残し他の天井板を撤去してもよい。
また中央部材５０の中央部、即ち照明カバー９０に対向する部分に反射効果のあるシートを張ってもよく、更にプレート３０やプレート４２を省略することも可能である。また非常救出口の蓋が天井にない場合など天井の構造が異なる場合には、既設照明器具の撤去穴やファンの撤去穴を利用してファンによる換気を行うことも可能であるし、更に天井の構造に合わせて照明器具、ファン、意匠材の形状や配置を変更するのは容易に実施できる。
以上説明したように、本発明によれば天井前部を交換するのに比べ作業工数を削減できるので、作業時間が短縮できる。
【図面の簡単な説明】
【００１６】
【図１】本発明の実施の形態を示す図で、天井の平面図及びその中央縦断面に相当する図である。
【図２】本発明の実施の形態を示す図で、天井をかご内から見上げた図及びその中央横断面に相当する図である。
【図３】本発明の実施の形態を示す図で、天井をかご内から見上げた図である。
【図４】本発明の実施の形態を示す図で、天井をかご内から見上げた図及びその中央横断面に相当する図である。
【図５】本発明の実施の形態を示す図で、天井をかご内から見上げた図及びその中央縦断面に相当する図である。
【図６】本発明の実施の形態を示す図で、天井をかご内から見上げた図及びその中央縦断面に相当する図である。
【図７】本発明の実施の形態を示す図で、天井をかご内から見上げた図及びその中央縦断面の要部に相当する図である。
【図８】従来の既設のエレベータかごの概要を示す図である。。
【図９】従来の既設のエレベータかごの平面図である。
【図１０】図９のＸ―Ｘ線断面図である。
【図１１】図９のＹ―Ｙ線断面図である。
【符号の説明】
【００１７】
１  天井板
３，９０  照明カバー
４，５５  照明灯
１０  既設の非常救出口蓋の撤去穴
１１  既設のファンの撤去穴
１２  既設の停電灯の撤去穴
２０  天井器具
２２  ファン
６０  側部意匠材
７０  前部意匠材
８０  後部意匠材
１００  ファンカバー
【図１】
2005138948.tif 000003
【図２】
2005138948.tif 000004
【図３】
2005138948.tif 000005
【図４】
2005138948.tif 000006
【図５】
2005138948.tif 000007
【図６】
2005138948.tif 000008
【図７】
2005138948.tif 000009
【図８】
2005138948.tif 000010
【図９】
2005138948.tif 000011
【図１０】
2005138948.tif 000012
【図１１】
2005138948.tif 000013